(57)【特許請求の範囲】
【請求項１】
配色に際に色を選択する方法であって、
所定の症状の色覚障害者が識別可能な色のみを要素するものである第１の色の集合があり、
前記第1の色の集合より特定の色を選択し、これを選択色とし、次に、
前記選択色に対して、前記所定の症状の色覚障害者において識別されないが、色覚正常者において識別される、複数の色を要素とする第２の色の集合から、色を選択することを特徴とする色を選択する方法。
【請求項２】
第２の色の集合が、色見本帳に記載されたものである請求項１記載の色を選択する方法。
【請求項３】
第２の色の集合が、カラー画面に表示されたものである請求項１記載の色を選択する方法。
【発明の詳細な説明】
【技術分野】
【０００１】
本発明は、色を選択する方法に関する。
【背景技術】
【０００２】
従来、オフセットやグラビアに代表される印刷分野、壁紙やタイルなどを使用する建築分野、あるいは、塗料やマーキングフィルムを看板に使用するサインディスプレイ分野など、設計やデザインにおいて色彩が重要な役割を果たす分野では、材料や製作を発注する際のコミュニケーション手段として、色票が利用されている。色票は発注者が受注者に対して意図する色を正確に伝えるためのツールとして有効であるとともに、発注者側がデザイン上において色彩を選択する際に、どの色を使用することができるかという指標として利用することも広く行われている（特許文献１〜３参照）。
【０００３】
一方、色覚に障害を持つ人々は、日本人男性の20人に１人、日本人女性の500人に1人いるとされている。色覚に関する障害の多くは、赤・緑・青の3つある視物質遺伝子のうち、いずれかの変異による機能不全により生ずることが、数多くの報告で示されている。これらの人々は、かなり広範囲の色を見分けることができるものの、非常に見分けにくい色も一部あるため、前記色票により提供される色彩情報を間違って認識することも多い。
【０００４】
これに対し、近年、バリアフリーやユニヴァーサルデザインの観念に立った、設計やデザインが求められている。色覚正常者が識別できる設計やデザインにおける配色は、前記色票を用いて容易に選択できるが、色覚障害者が識別できる配色を選択することは困難をきわめる。そのため、実験、心理的に証明された結果に即して、トライアンドエラーで配色を選択しているのが現状である。
【特許文献１】特開平８−３３１４０２号公報
【特許文献２】特開２００２−１６９４７３号公報
【特許文献３】特開２００３−５６５４号公報
【発明の開示】
【発明が解決しようとする課題】
【０００５】
上述の点に鑑み、本発明は、色覚障害者が識別可能な複数色を構成要素として配列することにより、色覚障害者に識別できる配色を、色覚正常者が容易に選択できるような色を選択する方法を提案するものである。
【課題を解決するための手段】
【０００６】
本発明は、配色に際に色を選択する方法であって、
所定の症状の色覚障害者が識別可能な色のみを要素するものである第１の色の集合があり、
前記第1の色の集合より特定の色を選択し、これを選択色とし、次に、
前記選択色に対して、前記所定の症状の色覚障害者において識別されないが、色覚正常者において識別される、複数の色を要素とする第２の色の集合から、色を選択することを特徴とする色を選択する方法に関する。
【０００７】
また、本発明は、第２の色の集合が、色見本帳に記載されたものである上記色を選択する方法に関する。
【０００８】
また、本発明は、第２の色の集合が、カラー画面に表示されたものである上記色を選択する方法に関する。
【発明の効果】
【０００９】
本発明によれば、様々な分野における色彩の設計やデザイン作成において、色覚障害者が識別可能な配色を、トライアンドエラーによることなしで色覚正常者が容易に選択することを可能とする効果がある。
【発明を実施するための最良の形態】
【００１０】
本発明でいう色覚障害は、眼の錐体細胞が1種類のみ機能する1色型色覚、2種類の錐体が  機能する2色型色覚、3種類の錐体とも機能するがそのうちの1種類の波長特性がずれている異常3色型色覚など、いくつかに大別される。2色型色覚や異常3色型色覚では、どの錐体に変化や機能不全があるかによって第1色覚異常、第2色覚異常、第3色覚異常の3つの種類に分けられる。第1色覚異常と第2色覚異常は色の見え方が比較的近く、総称して「赤緑色覚異常」と呼ばれ日本人男性の5%がこの障害を持つ。第3色覚異常は稀である。
（池田光男, 中嶋芳雄「色覚のメカニズムと色覚異常」, 眼科Mook No.16, 1982）
本発明の基本的な考え方は、色覚障害者が認識している色空間における色のみを選択して配列することにより、色覚障害者が識別できる色の組み合わせのみとなる色票を提供することである。
【００１１】
以下に、図を参照して、本発明の色を選択する方法の例を説明する。
図２は、赤緑色覚異常において認識可能な色空間を示した概念図である。赤緑色覚異常を持つ色覚障害者は、あらゆる色をこの該色空間（図中塗りつぶされた平面部分）のいずれかと同一に感じる。そこで、該色空間に含まれ、かつ、重複することがないよう任意に色を選択し、色票に用いるべき色組み合わせとする。
【００１２】
本発明においては、第一の色の集合の要素として、該色空間の上の色のみが選択する。以下、これを選択色という。第一の色の集合の要素の個数は、用途によって異なるが、通常、２〜１０００個程度が選択される。さらに、選択色の色名、選択色のデバイス値（ＣＭＹＫ値やＲＧＢ値）などが併記されると好ましい。第２の色の集合が色見本帳であるならば、例えば、選択色１色ごとに１葉作成される。色見本帳が１枚で構成されている場合は、同一線上に選択色が配列されれば見やすい。もちろん、選択色１色ごとに２葉以上あってもよいし、１葉に選択色が２色以上載せられていてもよい。これらは、適宜、使いやすいように設計される範囲内のことである。
【００１３】
本発明では、所定の症状の色覚障害者に識別できる配色を、色覚正常者が容易に選択できるような色を選択する方法を提供することが主たる目的であるから、色見本帳あるいはカラー画面上では、該色空間上の色として正確に再現されていなくても構わない。つまり、表示手段によっては色を正確に再現できない場合もあるため、所定の症状の色覚障害者が判別できる範囲内であれば、実際に表現される色の不正確さは容認される。
さらに、所定の症状の色覚障害者には選択色として同じに見えるが、色覚正常者には選択色と異なる色に見える色を、第２の色の集合として構成し、選択色との間に対応させれば、色覚正常者にはより自然な色の組み合わせのデザインを提供することが可能となる。
【００１４】
第２の色の集合が色見本帳であり、選択色１色ごとに１葉作成されているのであれば、同じ１葉に第２の色の集合が記載することが挙げられる。また、色見本帳が１枚で構成されている場合は、選択色の配列される線とは別の線上に第２の色の集合が配列されていると見やすい。
さらに、第２の色の集合の各色名、デバイス値などの情報が記載されていてもよい。
【００１５】
図１は、第２の色の集合を色見本帳（選択色１色に対して１葉）の形態としたときの構成例を示した概念図である。第２の色の集合の１葉毎に、Ａ１〜Ａ４によりなるＡを作成する。Ａ１を選択色で塗りつぶし、Ａ２に該選択色の名称を、Ａ３に該選択色を得るためのＣＭＹＫ値やＲＧＢ値あるいは色彩値を記入する。また、該選択色に対する前記第２の第２の色の集合の要素によりＡ４を塗りつぶす。
【００１６】
第２の色の集合は、色見本帳の形態だけではなく、書き換え可能なカラー画面を使って表示することもできる。図３は、カラー画面表示例の概念図である。カラー画面は、第１の色選択ウィンドＢと第２の色選択ウィンドＣより構成される。ウィンドＢにおいて、前記第１の色の集合の要素の個数分の色表示枠（Ｂ１〜Ｂ６）が設けられ、個々の表示枠が前記第１の色の集合の要素の色で塗りつぶされ、選択色を選択できる画面である（１次色選択画面）。マウスやキーボードの操作により色表示枠のいずれかが選択されると、ウィンドＣに選択色の情報が表示される。Ｃ１は該選択色により塗りつぶされ、Ｃ２に該選択色の名称が表示され、Ｃ３に該選択色を得るためのＣＭＹＫ値やＲＧＢ値あるいは色彩値が表示される。また、Ｃ４内のＤには、該選択色に対する前記第２の色の集合の要素が表示される。
以上の方法で作成した色見本帳あるいはカラー画面を用いることにより、色覚正常者が設計やデザインを作成する際に、色覚障害者が識別しやすい配色を容易に選択することが可能となる。さらには、色覚障害者が同一と感じ、かつ、色覚正常者が異なると感じる配色を複数選択することも容易に行える。
【図面の簡単な説明】
【００１７】
【図１】本発明を利用した色見本帳である、第１の色の集合（選択色）と第２の色の集合の概念図
【図２】赤緑色覚異常において認識可能な色空間の概念図
【図３】本発明を利用したカラー画面表示である、第１の色の集合（選択色）と第２の色の集合の概念図
【図１】
0004507641.tif 000002
【図３】
0004507641.tif 000003
【図２】
0004507641.tif 000004